Podtech/llm-jp-corpus-v4-ja_patent huggingface dataset:
【手続補正書】
【提出日】平成20年9月10日(2008.9.10)
【手続補正１】
【補正対象書類名】特許請求の範囲
【補正対象項目名】請求項１
【補正方法】変更
【補正の内容】
【請求項１】
＜化１＞で示される化合物を含有することを特徴とする印刷インキ。
【化１】
2007270025.tif 000001
【手続補正２】
【補正対象書類名】特許請求の範囲
【補正対象項目名】請求項２
【補正方法】変更
【補正の内容】
【請求項２】
＜化１＞で示される化合物を０．０１〜１ｗｔ％含有することを特徴とする請求項１記載の印刷インキ。
【化２】
2007270025.tif 000002
【手続補正３】
【補正対象書類名】特許請求の範囲
【補正対象項目名】請求項３
【補正方法】変更
【補正の内容】
【請求項３】
＜化１＞で示される化合物がメチルフェニルシロキサンであることを特徴とする請求項１または２記載の印刷インキ。
【化３】
2007270025.tif 000003
【手続補正書】
【提出日】平成20年6月16日(2008.6.16)
【手続補正１】
【補正対象書類名】特許請求の範囲
【補正対象項目名】全文
【補正方法】変更
【補正の内容】
【特許請求の範囲】
【請求項１】
水栓本体と、
前記水栓本体に着脱自在な吐水ヘッドと、
前記吐水ヘッドから吐水するか否かを制御する制御手段と、
前記吐水ヘッドからの吐水によって洗浄される被洗浄体を検知可能であるとともに、前記被洗浄体  を検知したか否かに関する信号を前記制御手段に出力可能な検知手段と、
前記検知手段による前記被洗浄体の検知にかかわらず前記吐水ヘッドからの吐水の禁止を設定する吐水禁止設定手段と、
前記吐水禁止設定手段による設定にかかわらず、前記吐水ヘッドからの吐水、止水を設定可能な吐止水設定手段とを有し、
前記検知手段は、前記水栓本体における前記吐水ヘッドの着脱位置近傍に設けられており、前記吐水ヘッドが前記水栓本体に装着された状態においては吐水方向に沿った指向性を持ち、
前記吐止水設定手段が、前記検知手段及び前記吐水禁止設定手段に優先である自動水栓。
【請求項２】
前記吐水禁止設定手段は、前記検知手段からの前記信号の出力を停止する検知停止手段を有することを特徴とする請求項１記載の自動水栓。
【請求項３】
前記吐水禁止設定手段は、前記吐水ヘッドが前記水栓本体に装着されているか否かを検知するとともに、前記吐水ヘッドが前記水栓本体に装着されていないときに前記吐水ヘッドからの吐水の禁止を設定する装着検知手段を有することを特徴とする請求項１又は２記載の自動水栓。
【請求項４】
前記制御手段は、前記吐水ヘッドから吐水するための条件として、前記検知手段が検知する被洗浄体の検知レベルが第１の範囲にあることを有し、前記吐水ヘッドからの吐水の停止を維持するための条件として、前記検知レベルが前記第１の範囲を超える第２の範囲にあることを有することを特徴とする請求項１ないし３の何れか１つに記載の自動水栓。
【請求項５】
前記吐水ヘッドは、使用者がこの吐水ヘッドを操作したときの前記検知手段による誤検知を防止するための誤検知防止手段を有することを特徴とする請求項１ないし４の何れか１つに記載の自動水栓。
【請求項６】
前記吐水ヘッドを前記水栓本体から離脱させたときに前記検知手段による誤検知を防止するために前記検知手段の通光路を変更する通光路変更手段を有することを特徴とする請求項１ないし５の何れか１つに記載の自動水栓。
【手続補正２】
【補正対象書類名】明細書
【補正対象項目名】０００７
【補正方法】変更
【補正の内容】
【０００７】
上記目的を達成するため、請求項１記載の発明は、水栓本体と、前記水栓本体に着脱自在な吐水ヘッドと、前記吐水ヘッドから吐水するか否かを制御する制御手段と、前記吐水ヘッドからの吐水によって洗浄される被洗浄体を検知可能であるとともに、前記被洗浄体を検知したか否かに関する信号を前記制御手段に出力可能な検知手段と、前記検知手段による前記被洗浄体の検知にかかわらず前記吐水ヘッドからの吐水の禁止を設定する吐水禁止設定手段と、前記吐水禁止設定手段による設定にかかわらず、前記吐水ヘッドからの吐水、止水を設定可能な吐止水設定手段とを有し、前記検知手段は、前記水栓本体における前記吐水ヘッドの着脱位置近傍に設けられており、前記吐水ヘッドが前記水栓本体に装着された状態においては吐水方向に沿った指向性を持ち、前記吐止水設定手段が、前記検知手段及び前記吐水禁止設定手段に優先である自動水栓にある。
【手続補正３】
【補正対象書類名】明細書
【補正対象項目名】０００８
【補正方法】変更
【補正の内容】
【０００８】
この構成によれば、検知手段からの検知に基づき吐止水を行なうプルアウト式の自動水栓において、組み立ての水栓本体に検知手段を配設することで、組み立ての困難性及び検知手段の破壊を低減しつつ、検知手段を吐水ヘッドに取付ける場合よりも水跳ね等による誤動作を抑制することができる。また、この構成によれば、必要でない吐水、意図しない吐水を禁止して節水することができる。また、この構成によれば、吐水ヘッドの着脱等にかかわらず吐止水が行われ、使用者にとって使用感が向上する。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
請求項２記載の発明は、前記吐水禁止設定手段は、前記検知手段からの前記信号の出力を停止する検知停止手段を有することを特徴とする。
【手続補正７】
【補正対象書類名】明細書
【補正対象項目名】００１３
【補正方法】変更
【補正の内容】
【００１３】
請求項３記載の発明は、前記吐水禁止設定手段は、前記吐水ヘッドが前記水栓本体に装着されているか否かを検知するとともに、前記吐水ヘッドが前記水栓本体に装着されていないときに前記吐水ヘッドからの吐水の禁止を設定する装着検知手段を有することを特徴とする。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】変更
【補正の内容】
【００１７】
請求項４記載の発明は、前記制御手段は、前記吐水ヘッドから吐水するための条件として、前記検知手段が検知する被洗浄体の検知レベルが第１の範囲にあることを有し、前記吐水ヘッドからの吐水の停止を維持するための条件として、前記検知レベルが前記第１の範囲を超える第２の範囲にあることを有することを特徴とする。
【手続補正１１】
【補正対象書類名】明細書
【補正対象項目名】００１９
【補正方法】変更
【補正の内容】
【００１９】
請求項５記載の発明は、前記吐水ヘッドは、使用者がこの吐水ヘッドを操作したときの前記検知手段による誤検知を防止するための誤検知防止手段を有することを特徴とする。
【手続補正１２】
【補正対象書類名】明細書
【補正対象項目名】００２１
【補正方法】変更
【補正の内容】
【００２１】
請求項６記載の発明は、前記吐水ヘッドを前記水栓本体から離脱させたときに前記検知手段による誤検知を防止するために前記検知手段の通光路を変更する通光路変更手段を有することを特徴とする。
【手続補正書】
【提出日】平成20年9月1日(2008.9.1)
【手続補正１】
【補正対象書類名】明細書
【補正対象項目名】００９４
【補正方法】変更
【補正の内容】
【００９４】
（実施例１〜３および比較例１〜３）
表１に示す性状を有する基材を調合して表２に示す軽油組成物を調製した（実施例１〜３および比較例１〜３）。ＦＴ合成基材１〜３は天然ガスをＦＴ反応によりワックス及び中間留分化し、これに水素化処理を施して得られた炭化水素混合物であるが、それぞれの反応条件（異性化度）は異なるため、飽和炭化水素含有率が異なる基材となっている。高度水素化処理基材は軽油基材に更に水素化処理を施し、更なる低硫黄化と低芳香族化をはかった炭化水素基材である。動植物由来の処理油はパーム油（ホール成分）を原料として水素化処理を行い、雑成分を取り除いたものである。水素化精製軽油は冬季に使用されている市販の軽油に相当する。低圧縮比用燃料はＦＴ合成基材、水素化精製基材、高度な水素化処理基材等を適切量配合して、低圧縮比ディーゼルエンジン向けに配合したものである。従って、各留分の混合比率及び各留分のセタン価を除けば、他の仕様は本発明の軽油組成物に必要とされる項目を満足している。これらを適量配合または全量使用して、実施例１〜３と比較例１〜３を製造した。
なお、本例で使用した添加剤は以下の通りである。
潤滑性向上剤：リノ−ル酸を主成分とするカルボン酸混合物
清浄剤：アルケニルコハク酸イミド混合物
低温流動性向上剤：エチレン−酢酸ビニル共重合体混合物
【手続補正書】
【提出日】平成20年11月11日(2008.11.11)
【手続補正１】
【補正対象書類名】特許請求の範囲
【補正対象項目名】全文
【補正方法】変更
【補正の内容】
【特許請求の範囲】
【請求項１】
オレフィン系樹脂に結晶径３〜１０μｍのタルクを添加し、当該タルクを添加したオレフィン系樹脂混合物を押出成形により形成することを
特徴とする押出成形体。
【請求項２】
前記請求項１に記載の押出成形体において、
前記タルクがオレフィン系樹脂１００重量部に対して１０〜２０重量部を添加することを
特徴とする押出成形体。
【請求項３】
前記請求項１又は２に記載の押出成形体において、
前記タルクが押出成形の押出し速度を遅くするに伴って大きな結晶径とされることを
特徴とする押出成形体。
【請求項４】
前記請求項１ないし３のいずれかに記載の押出成形体において、
前記オレフィン系樹脂１００重量部に対して赤リンをリン濃度で５wt％〜９wt％添加することを
特徴とする押出成形体。
【請求項５】
オレフィン系樹脂に結晶径３〜１０μｍのタルクを添加してオレフィン系樹脂混合物を作成し、当該オレフィン系樹脂混合物を１０ｍ／分〜５００ｍ／分の押出速度で押出して押出成形体を形成することを
特徴とする押出成形体の形成方法。
【請求項６】
前記請求項５に記載の押出成形体の形成方法において、
前記オレフィン系樹脂混合物が、オレフィン系樹脂１００重量部に対してタルクを１０〜２０重量部添加して作成されることを
特徴とする押出成形体の形成方法。
【請求項７】
前記請求項５又は６に記載の押出成形体の形成方法において、
前記押出速度は、タルクの結晶径が３〜１０μｍの間で大きくなるのに伴って遅くなることを
特徴とする押出成形体の形成方法。
【請求項８】
前記請求項５ないし７のいずれかに記載の押出成形体の形成方法において、
前記オレフィン系樹脂混合物が、オレフィン系樹脂１００重量部に対して赤リンをリン濃度で５wt％〜９wt％添加して作成されることを
特徴とする押出成形体の形成方法。
【請求項９】
前記請求項１ないし４のいずれかに記載の押出成形体を外被とされ、一又は複数本の光ファイバ芯線、及び当該光ファイバ芯線と並行させて一又は複数本配置される補強線の外周を、前記外被で一括被覆されてなることを
特徴とする光ファイバケーブル。
【手続補正２】
【補正対象書類名】明細書
【補正対象項目名】００５８
【補正方法】変更
【補正の内容】
【００５８】
【表２】
2007270120.tif 000001
【手続補正３】
【補正対象書類名】明細書
【補正対象項目名】００６０
【補正方法】変更
【補正の内容】
【００６０】
【表３】
2007270120.tif 000002
【手続補正４】
【補正対象書類名】明細書
【補正対象項目名】００６２
【補正方法】変更
【補正の内容】
【００６２】
【表４】
2007270120.tif 000003
【手続補正５】
【補正対象書類名】明細書
【補正対象項目名】００６４
【補正方法】変更
【補正の内容】
【００６４】
【表５】
2007270120.tif 000004
【手続補正書】
【提出日】平成20年2月18日(2008.2.18)
【手続補正１】
【補正対象書類名】特許請求の範囲
【補正対象項目名】全文
【補正方法】変更
【補正の内容】
【特許請求の範囲】
【請求項１】
バレル式電解クロメート処理を鉄鋼製物品のニッケルめっき層上に施すのに用いるクロム酸塩水溶液であって、
重クロム酸塩とこれに添加したモリブデン酸塩からなることを特徴とするバレル式電解クロメート処理液。
【請求項２】
重クロム酸塩は、重クロム酸ナトリウムと重クロム酸カリウムの一方又は両方であり、
モリブデン酸塩は、モリブデン酸ナトリウムとモリブデン酸カリウムの一方又は両方であることを特徴とする請求項１に記載のバレル式電解クロメート処理液。
【請求項３】
１リットル当り、重クロム酸塩の質量が２０〜３００ｇで、モリブデン酸塩の質量が０．０５〜７５ｇであり、重クロム酸塩のモル数とモリブデン酸塩のモル数の和が０．１以上であることを特徴とする請求項１又は２に記載のバレル式電解クロメート処理液。
【手続補正２】
【補正対象書類名】明細書
【補正対象項目名】００１５
【補正方法】変更
【補正の内容】
【００１５】
１）バレル式電解クロメート処理を鉄鋼製物品のニッケルめっき層上に施すのに用いるクロム酸塩水溶液であって、
重クロム酸塩とこれに添加したモリブデン酸塩からなることを特徴とするバレル式電解クロメート処理液。
２）上記のバレル式電解クロメート処理液において、
重クロム酸塩は、重クロム酸ナトリウムと重クロム酸カリウムの一方又は両方であり、
モリブデン酸塩は、モリブデン酸ナトリウムとモリブデン酸カリウムの一方又は両方であることを特徴とする。
３）上記のバレル式電解クロメート処理液において、
１リットル当り、重クロム酸塩の質量が２０〜３００ｇで、モリブデン酸塩の質量が０．０５〜７５ｇであり、重クロム酸塩のモル数とモリブデン酸塩のモル数の和が０．１以上であることを特徴とする。
【手続補正書】
【提出日】平成20年4月21日(2008.4.21)
【手続補正１】
【補正対象書類名】明細書
【補正対象項目名】００４０
【補正方法】変更
【補正の内容】
【００４０】
本発明の第３実施形態は、本発明を、下側のみにピボット型の接触軸受を有するシールレスの磁気カップリング型の遠心ポンプの流量測定に適用したもので、図１２に示す如く、ポンプケーシング１２内の下側のみに配設されたピボット受１２ｐと、下に伸びるピボット軸７２により支持される羽根車１４を備えた遠心ポンプ８０において、前記ピボット受１２ｐにロードセル７４を設けて、羽根車１４に作用する横力を検出するようにしたものである。これは、片当たりの心配が無いので、ロードセル１つで良い。
【手続補正書】
【提出日】平成20年8月7日(2008.8.7)
【手続補正１】
【補正対象書類名】特許請求の範囲
【補正対象項目名】全文
【補正方法】変更
【補正の内容】
【特許請求の範囲】
【請求項１】
始動口への遊技球の入球を契機に、前記通常遊技よりも遊技者にとって有利な複数種類の特別遊技状態のいずれか一種に移行させるか否かを抽選により決定する抽選手段と、
前記複数種類の特別遊技状態において作動する可変入賞装置と、
を備えた遊技機において、
前記複数種類の特別遊技状態は、前記特別遊技状態の終了後に前記抽選手段における前記複数種類の特別遊技状態の少なくとも一種への移行確率が前記通常遊技状態より高確率である確率変動遊技状態を伴う第１確率変動付特別遊技状態と、前記確率変動遊技状態を伴う第２確率変動付特別遊技状態とを含み、
上記可変入賞装置として、前記第１確率変動付特別遊技状態及び前記第２確率変動付特別遊技状態のうち前記第１確率変動付特別遊技状態のみにおいて遊技球が入球可能な主可変入賞装置と、前記第２確率変動付特別遊技状態において遊技球が入球可能であり、入球可能な時間が前記第１確率変動付特別遊技状態における前記主可変入賞装置より短い副可変入賞装置とを備え、
前記副可変入賞装置の開口近傍に設けられ、遊技球が前記開口に入球するのを許容する状態と前記開口に遊技球が入球するのを阻止する状態との間の状態変更を行う誘導阻止手段を備えることを特徴とする遊技機。
【請求項２】
複数の図柄を変動表示し、前記抽選手段による抽選結果に対応付けられた図柄の組合せを確定表示する第１表示手段を更に含み、
前記第１表示手段は、前記抽選手段による前記第１確率変動付特別遊技状態への移行の決定に応じて前記複数の図柄による図柄の組合せのうち高秩序の図柄の組合せを確定表示し、前記抽選手段による前記第２確率変動付特別遊技状態への移行の決定に応じて前記複数の図柄による図柄の組合せのうち前記高秩序の図柄の組合せより秩序性の低い低秩序の図柄の組合せを確定表示する請求項１に記載の遊技機。
【請求項３】
前記誘導阻止手段が風車と前記風車を移動させる駆動装置とを備え、
前記誘導阻止手段が、前記第２確率変動付特別遊技状態において、前記駆動装置により前記風車の支持軸を変位させて、遊技球を前記開口に誘導する請求項１又は２に記載の遊技機。
【手続補正書】
【提出日】平成20年7月24日(2008.7.24)
【手続補正１】
【補正対象書類名】特許請求の範囲
【補正対象項目名】全文
【補正方法】変更
【補正の内容】
【特許請求の範囲】
【請求項１】
超音波探触子から被検体へ照射された超音波の反射エコー信号に基づき断層画像と弾性画像を作成して表示する超音波診断装置において、
前記超音波探触子から照射された超音波の反射エコー信号に基づき前記断層画像を作成する手段と、
前記被検体への圧迫方向へ照射された超音波の反射エコー信号に基づき前記弾性画像を作成する手段と、
を備えることを特徴とする超音波診断装置。
【請求項２】
超音波探触子から被検体へ照射された超音波の反射エコー信号に基づき断層画像と弾性画像を作成して表示する超音波診断装置において、
前記超音波探触子から照射された超音波の反射エコー信号に基づき前記断層画像を作成する手段と、
前記被検体への圧迫方向を検知するセンサと、前記センサの検知によって超音波の照射方向を前記圧迫方向へ一致づける手段と、
前記圧迫方向へ照射する超音波の反射エコー信号に基づき前記弾性画像を作成する手段と、
を備えることを特徴とする超音波診断装置。
【請求項３】
断層画像および弾性画像の作成は、各フレーム目の画像作成期間において時間を異にしてなされることを特徴とする請求項１、２のいずれかに記載の超音波診断装置。
【請求項４】
前記超音波探触子の被検体への圧迫方向の検知は、該超音波探触子に設けた並設された各圧力センサの圧力値分布によってなされることを特徴とする請求項２に記載の超音波診断装置。
【請求項５】
前記超音波探触子の被検体への圧迫方向の検知は、超音波探触子に対して基準位置となる個所に固定され３軸直交系の磁場を発生する磁場発生コイルと、超音波探触子に設けられ該３軸直交系の磁場を検出する検出コイルとによってなされることを特徴とする請求項２に記載の超音波診断装置。
【手続補正２】
【補正対象書類名】明細書
【補正対象項目名】００１０
【補正方法】変更
【補正の内容】
【００１０】
（１）本発明による超音波診断装置は、たとえば、超音波探触子から被検体へ照射された超音波の反射エコー信号に基づき断層画像と弾性画像を作成して表示する超音波診断装置において、
前記超音波探触子から照射された超音波の反射エコー信号に基づき前記断層画像を作成する手段と、
前記被検体への圧迫方向へ照射された超音波の反射エコー信号に基づき前記弾性画像を作成する手段と、を備えることを特徴とする。
【手続補正３】
【補正対象書類名】明細書
【補正対象項目名】００１１
【補正方法】変更
【補正の内容】
【００１１】
（２）本発明による超音波診断装置は、たとえば、超音波探触子から被検体へ照射された超音波の反射エコー信号に基づき断層画像と弾性画像を作成して表示する超音波診断装置において、
前記超音波探触子から照射された超音波の反射エコー信号に基づき前記断層画像を作成する手段と、
前記被検体への圧迫方向を検知するセンサと、前記センサの検知によって超音波の照射方向を前記圧迫方向へ一致づける手段と、
前記圧迫方向へ照射する超音波の反射エコー信号に基づき前記弾性画像を作成する手段と、を備えることを特徴とする。
【手続補正書】
【提出日】平成20年8月7日(2008.8.7)
【手続補正１】
【補正対象書類名】特許請求の範囲
【補正対象項目名】全文
【補正方法】変更
【補正の内容】
【特許請求の範囲】
【請求項１】
始動口への遊技球の入球を契機に、前記通常遊技よりも遊技者にとって有利な複数種類の特別遊技状態のいずれか一種へ移行させるか否かを抽選により決定する抽選手段と、
前記複数種類の特別遊技状態において作動する可変入賞装置と、
入球口が形成され、前記入球口から入球した遊技球を前記始動口の近傍に誘導する構造体と、
を備えた遊技機において、
前記複数種類の特別遊技状態は、前記特別遊技状態の終了後に前記抽選手段における前記複数種類の特別遊技状態の少なくとも一種への移行確率が前記通常遊技状態より高確率である確率変動遊技状態を伴う第１確率変動付特別遊技状態と、前記確率変動遊技状態を伴う第２確率変動付特別遊技状態とを含み、
上記可変入賞装置として、前記第１確率変動付特別遊技状態及び前記第２確率変動付特別遊技状態のうち前記第１確率変動付特別遊技状態のみにおいて遊技球が入球可能な主可変入賞装置と、前記第２確率変動付特別遊技状態において前記構造体内に存在する遊技球が入球可能であり、入球可能な時間が前記第１確率変動付特別遊技状態における前記主可変入賞装置より短い副可変入賞装置とを備えることを特徴とする遊技機。
【請求項２】
複数の図柄を変動表示し、前記抽選手段による抽選結果に対応付けられた図柄の組合せを確定表示する第１表示手段を更に含み、
前記第１表示手段は、前記抽選手段による前記第１確率変動付特別遊技状態への移行の決定に応じて前記複数の図柄による図柄の組合せのうち高秩序の図柄の組合せを確定表示し、前記抽選手段による前記第２確率変動付特別遊技状態への移行の決定に応じて前記複数の図柄による図柄の組合せのうち前記高秩序の図柄の組合せより秩序性の低い低秩序の図柄の組合せを確定表示する請求項１に記載の遊技機。
【請求項３】
前記構造体内に、前記入球口から入球した遊技球を遊技者に視認できる遊技盤表面から遊技者に視認し難い遊技盤内部に誘導した後に、再度遊技盤表面に出現させる通路が形成され、
前記第２確率変動付特別遊技状態において前記通路を通過途中の遊技球を前記副可変入賞装置へ入球可能にする誘導手段が設けられている請求項１又は２に記載の遊技機。
【手続補正書】
【提出日】平成20年8月8日(2008.8.8)
【手続補正１】
【補正対象書類名】特許請求の範囲
【補正対象項目名】全文
【補正方法】変更
【補正の内容】
【特許請求の範囲】
【請求項１】
始動口への遊技球の入球を契機に、通常遊技よりも遊技者にとって有利な複数種類の特別遊技状態の何れか一種に移行するか否かを抽選により決定する抽選手段と、
上記複数種類の特別遊技状態において遊技球を入球可能とさせる入賞可動部を有する可変入賞装置と、
を有するとともに、
上記複数種類の特別遊技状態中に実行される特別遊技の種類として、少なくとも、上記入賞可動部の動作によって通常遊技中に閉止されていた可変入賞装置が複数の入球が予測できる第１の所定時間開放される第１の特別遊技と、入賞可動部の動作によって通常遊技中に閉止されていた可変入賞装置が少なくとも１個の遊技球が入球可能で且つ上記第１の所定時間よりも短い第２の所定時間開放される第２の特別遊技とを備え、
上記抽選手段により特別遊技状態へ移行することが決定され、且つ何れかの特別遊技終了後に通常遊技よりも有利な価値の付与を伴うことが決定された場合における遊技態様として、少なくとも、第２の特別遊技が実行されその後に有利な価値が付与された遊技状態に移行する遊技態様を備えた遊技機において、
上記可変入賞装置として、上記第１の特別遊技で使用される第１の可変入賞装置と、上記第２の特別遊技で使用される第２の可変入賞装置とが設けられ、
且つ、上記第２の可変入賞装置は、上記入賞可動部の他に、前記通常遊技における遊技演出によって動作する１以上の演出可動部を有して構成されていることを特徴とする遊技機。
【請求項２】
複数の図柄を変動表示し、前記抽選手段による抽選結果に対応付けられた図柄の組合せを確定表示する第１表示手段を更に備え、
上記第１表示手段は、上記第１の特別遊技の実行及びその後に有利な価値が付与された遊技状態に移行する場合に前記複数の図柄による図柄の組合せのうち高秩序の図柄の組合せを確定表示し、上記第２の特別遊技の実行及びその後に有利な価値が付与された遊技状態に移行する場合に前記複数の図柄による図柄の組合せのうち前記高秩序の図柄の組合せより秩序性の低い低秩序の図柄の組合せを確定表示する請求項１に記載の遊技機。
【請求項３】
前記１以上の演出可動部の少なくとも１つが、前記複数種類の特別遊技状態のうち前記第２の特別遊技が実施される特別遊技状態において、前記入賞可動部と共に動作する請求項１又は２記載の遊技機。
【請求項４】
前記第２の可変入賞装置は、前記入賞可動部と前記１以上の演出可動部の少なくとも１つとが全体として生物を模したキャラクタを表出する請求項１、２又は３に記載の遊技機。
【手続補正書】
【提出日】平成20年8月8日(2008.8.8)
【手続補正１】
【補正対象書類名】特許請求の範囲
【補正対象項目名】全文
【補正方法】変更
【補正の内容】
【特許請求の範囲】
【請求項１】
始動口への遊技球の入球を契機に、通常遊技よりも遊技者にとって有利な複数種類の特別遊技状態の何れか一種に移行するか否かを抽選により決定する抽選手段と、
上記複数種類の特別遊技状態において遊技球を入球可能とさせる入賞可動部を有する可変入賞装置と、
を有するとともに、
上記複数種類の特別遊技状態中に実行される特別遊技の種類として、少なくとも、上記入賞可動部の動作によって通常遊技中に閉止されていた可変入賞装置が複数の入球が予測できる第１の所定時間開放される第１の特別遊技と、入賞可動部の動作によって通常遊技中に閉止されていた可変入賞装置が少なくとも１個の遊技球が入球可能で且つ上記第１の所定時間よりも短い第２の所定時間開放される第２の特別遊技とを備え、
上記抽選手段により特別遊技状態へ移行することが決定され、且つ何れかの特別遊技終了後に通常遊技よりも有利な価値の付与を伴うことが決定された場合における遊技態様として、少なくとも、第２の特別遊技が実行されその後に有利な価値が付与された遊技状態に移行する遊技態様を備えた遊技機において、
上記可変入賞装置として、上記第１の特別遊技で使用される第１の可変入賞装置と、上記第２の特別遊技で使用される第２の可変入賞装置とが設けられ、
且つ、上記第２の可変入賞装置の存在を認識し難くさせる為の１以上の演出可動部が設けられていることを特徴とする遊技機。
【請求項２】
複数の図柄を変動表示し、前記抽選手段による抽選結果に対応付けられた図柄の組合せを確定表示する第１表示手段を更に備え、
上記第１表示手段は、上記第１の特別遊技の実行及びその後に有利な価値が付与された遊技状態に移行する場合に前記複数の図柄による図柄の組合せのうち高秩序の図柄の組合せを確定表示し、上記第２の特別遊技の実行及びその後に有利な価値が付与された遊技状態に移行する場合に前記複数の図柄による図柄の組合せのうち前記高秩序の図柄の組合せより秩序性の低い低秩序の図柄の組合せを確定表示する請求項１又は２に記載の遊技機。
【請求項３】
前記第１の可変入賞装置及び前記第２の可変入賞装置が取着される遊技盤面が、一側が主遊技球通路に、他側が副遊技球通路になるように、正面視で左右非対象に構成され、且つ、前記第２の可変入賞装置が前記副遊技球通路に設けられている請求項１又は２に記載の遊技機。
【請求項４】
前記通常遊技において遊技球が通過可能なスルーゲートと、
前記始動口に設けられ、前記始動口に遊技球を案内する開放位置と遊技球が入りにくくなる閉塞位置を採りうる開閉部材と、
前記スルーゲートへの入球を契機に、前記開閉部材を開閉させるか否かを抽選により決定する開閉抽選手段と、
を備え、
前記スルーゲートが、前記主遊技球通路に設けられている請求項１、２又は３に記載の遊技機。
【手続補正書】
【提出日】平成20年8月5日(2008.8.5)
【手続補正１】
【補正対象書類名】特許請求の範囲
【補正対象項目名】全文
【補正方法】変更
【補正の内容】
【特許請求の範囲】
【請求項１】
Ｘ線を受信し、受信したＸ線の信号を画像信号に変換する撮像手段と、
前記撮像手段の撮像モードを設定する設定手段と、
前記設定手段で設定された撮像モードに基づき、前記撮像手段におけるＸ線の信号の変換を制御する制御手段と、
前記画像信号を外部装置に出力するための通信インタフェースを少なくとも二つ以上備える通信手段と、
前記設定手段で設定された撮像モードに基づき、前記通信手段が備える通信インタフェースから前記画像信号を外部装置に出力するときに用いる通信インタフェースを選択する選択手段と
を備えることを特徴とする画像撮影装置。
【請求項２】
前記選択手段は、前記設定手段で設定された撮像モードまたは、前記撮像手段において単位時間当たりに取得された前記Ｘ線の信号のデータ量と閾値との比較に応じて、前記画像信号を外部装置に出力するときに用いる通信インタフェースを選択する
ことを特徴とする請求項１に記載の画像撮影装置。
【請求項３】
前記選択手段は、前記設定手段で設定された撮像モードまたは、前記撮像手段において単位時間当たりに取得された前記画像信号に基づく画像枚数と閾値との比較に応じて、前記画像信号を外部装置に出力するときに用いる通信インタフェースを切り替える
ことを特徴とする請求項１に記載の画像撮影装置。
【請求項４】
前記通信手段は、少なくとも１つの有線通信インタフェースと少なくとも１つの無線通信インタフェースとを備える
ことを特徴とする請求項１乃至３のいずれか１項に記載の画像撮影装置。
【請求項５】
前記選択手段は、前記通信手段が備える通信インタフェースの通信が切断された場合、前記切断された通信インタフェースと異なる通信インタフェースを選択する
ことを特徴とする請求項１乃至４のいずれか１項に記載の画像撮影装置。
【請求項６】
前記有線通信インタフェースは、通信ケーブルを着脱可能な構造を有し、
前記制御手段は、前記通信ケーブルの着脱状態を判定し、当該判定結果に基づき、前記撮像手段におけるＸ線の信号の変換を制御する
ことを特徴とする請求項４に記載の画像撮影装置。
【請求項７】
前記閾値を設定する設定手段を更に備える
ことを特徴とする請求項２または３に記載の画像撮影装置。
【請求項８】
Ｘ線を受信し、受信したＸ線の信号を画像信号に変換する撮像手段と、
前記撮像手段の撮像モードを設定する設定手段と、
前記設定手段で設定された撮像モードに基づき、前記撮像手段におけるＸ線の信号の変換を制御する制御手段と、
前記画像信号を外部装置に出力するための通信インタフェースを少なくとも二つ以上備える通信手段と、
前記設定手段で設定された撮像モードに基づき、前記通信手段が備える通信インタフェースから前記画像信号を外部装置に出力するときに用いる通信インタフェースを選択する選択手段とを備える画像撮影装置と、
被写体に対してＸ線を照射するＸ線発生部と、
操作者が撮影の指示を行うための操作部と、
前記画像信号に基づく画像に対して画像処理を行う画像処理部と、
前記画像処理部で画像処理された画像を表示する表示部とを備え、
前記制御手段は、前記操作部の指示に基づき、前記撮像手段と前記Ｘ線発生部とを制御する
ことを特徴とする画像撮影システム。
【請求項９】
撮像手段が、Ｘ線の信号を画像信号に変換する撮像工程と、
設定手段が、前記撮像工程における撮像モードを設定する設定工程と、
制御手段が、前記設定工程で設定された撮像モードに基づき、前記撮像工程におけるＸ線の信号の変換を制御する制御工程と、
選択手段が、前記設定手段で設定された撮像モードに基づき、前記画像信号を外部装置に出力するための通信インタフェースを少なくとも二つ以上備える通信手段から前記画像信号を外部装置に出力するときに用いる通信インタフェースを選択する選択工程と
を備えることを特徴とする画像撮影方法。
【請求項１０】
コンピュータを、
Ｘ線の信号を画像信号に変換する撮像手段と、
前記撮像手段における撮像モードを設定する設定手段と、
前記設定工程で設定された撮像モードに基づき、前記撮像工程におけるＸ線の信号の変換を制御する制御手段と、
前記設定手段で設定された撮像モードに基づき、前記画像信号を外部装置に出力するための通信インタフェースを少なくとも二つ以上備える通信手段から前記画像信号を外部装置に出力するときに用いる通信インタフェースを選択する選択手段と
して機能させることを特徴とするプログラム。
【手続補正書】
【提出日】平成20年6月25日(2008.6.25)
【手続補正１】
【補正対象書類名】特許請求の範囲
【補正対象項目名】全文
【補正方法】変更
【補正の内容】
【特許請求の範囲】
【請求項１】
ペット用品において、該ペット用品の構成材料に、青葉アルデヒド、青葉アルコールから選択される少なくとも１種の香り剤を多孔質無機物に含浸させて添加したペット用環境改善具。
【請求項２】
前記香り剤をマイクロカプセルに内包して前記多孔質無機物に含浸させた請求項１に記載のペット用環境改善具。
【請求項３】
前記多孔質無機物を、バインダーを介して前記構成材料に接着した請求項１又は請求項２に記載のペット用環境改善具。
【請求項４】
ペット用品において、該ペット用品の構成材料に、青葉アルデヒド、青葉アルコールから選択される少なくとも１種の香り剤を内包したマイクロカプセルを、バインダーを介して接着したペット用環境改善具。
【請求項５】
ペット用品に、青葉アルデヒド、青葉アルコールから選択される少なくとも１種の香り剤を内蔵する容器を配置したペット用環境改善具。
【請求項６】
前記香り剤を、マイクロカプセルに内包して、又は多孔質無機物に含浸させて、若しくはマイクロカプセルに内包して該多孔質無機物に含浸させて、
前記香り剤を内包した前記マイクロカプセル、又は前記香り剤を含浸させた前記多孔質無機物、若しくは前記香り剤を内包したマイクロカプセルを含浸させた前記多孔質無機物を前記容器に内蔵した請求項５に記載のペット用環境改善具。
【請求項７】
前記多孔質無機物が、シリカ粉末、ゼオライト、活性炭、粘土鉱物のうちから選択される少なくとも１種である請求項１から請求項３、及び請求項６の何れかに記載のペット用環境改善具。
【請求項８】
前記香り剤が、青葉アルデヒドと青葉アルコールとを重量比６：４〜４：６で混合して成る請求項１から請求項７の何れかに記載のペット用環境改善具。
【手続補正２】
【補正対象書類名】明細書
【補正対象項目名】００１１
【補正方法】変更
【補正の内容】
【００１１】
即ち、本発明の要旨とするところは、ペット用品において、該ペット用品の構成材料に、青葉アルデヒド、青葉アルコールから選択される少なくとも１種の香り剤を多孔質無機物に含浸させて添加したペット用環境改善具である。
【手続補正３】
【補正対象書類名】明細書
【補正対象項目名】００１２
【補正方法】変更
【補正の内容】
【００１２】
かかるペット用環境改善具において、前記香り剤をマイクロカプセルに内包して前記多孔質無機物に含浸させてもよい。
【手続補正４】
【補正対象書類名】明細書
【補正対象項目名】００１３
【補正方法】変更
【補正の内容】
【００１３】
かかるペット用環境改善具において、前記多孔質無機物は、バインダーを介して前記構成材料に接着し得る。
【手続補正５】
【補正対象書類名】明細書
【補正対象項目名】００１４
【補正方法】変更
【補正の内容】
【００１４】
本発明の別の要旨とするところは、ペット用品において、該ペット用品の構成材料に、青葉アルデヒド、青葉アルコールから選択される少なくとも１種の香り剤を内包したマイクロカプセルを、バインダーを介して接着したペット用環境改善具である。
【手続補正６】
【補正対象書類名】明細書
【補正対象項目名】００１５
【補正方法】変更
【補正の内容】
【００１５】
本発明のまた別の要旨とするところは、ペット用品に、青葉アルデヒド、青葉アルコールから選択される少なくとも１種の香り剤を内蔵する容器を配置したペット用環境改善具である。
【手続補正７】
【補正対象書類名】明細書
【補正対象項目名】００１６
【補正方法】変更
【補正の内容】
【００１６】
かかるペット用環境改善具において、前記香り剤を、マイクロカプセルに内包して、又は多孔質無機物に含浸させて、若しくはマイクロカプセルに内包して該多孔質無機物に含浸させて、
前記香り剤を内包した前記マイクロカプセル、又は前記香り剤を含浸させた前記多孔質無機物、若しくは前記香り剤を内包したマイクロカプセルを含浸させた前記多孔質無機物を前記容器に内蔵することが好ましい。
【手続補正８】
【補正対象書類名】明細書
【補正対象項目名】００１７
【補正方法】変更
【補正の内容】
【００１７】
かかるペット用環境改善具において、前記多孔質無機物は、シリカ粉末、ゼオライト、活性炭、粘土鉱物のうちから選択される少なくとも１種であり得る。更に、かかるペット用環境改善具において、前記香り剤は、青葉アルデヒドと青葉アルコールとを重量比６：４〜４：６で混合して成るものであってもよい。
【手続補正書】
【提出日】平成20年8月1日(2008.8.1)
【手続補正１】
【補正対象書類名】特許請求の範囲
【補正対象項目名】全文
【補正方法】変更
【補正の内容】
【特許請求の範囲】
【請求項１】
遊技球を通過させる遊技球通路を二股に分岐させて設けられた取込通路及び排出通路と、前記取込通路の入口部分に設けられ、該取込通路の遊技球の通過を阻止又は許容する取込用阻止許容部材と、前記排出通路の入口部分であって遊技球の取り込み時に遊技球が一旦当る位置に設けられ、該排出通路の遊技球の通過を阻止又は許容する排出用阻止許容部材と、前記取込通路においてその入口側であって前記取込用阻止許容部材よりも下流側に設けられ、取込通路を通る遊技球を検知する遊技球検知手段とを有する取込装置を備え、
所定の取込トリガ信号に基づいて取込制御手段が前記取込用阻止許容部材を許容位置に動作させて前記取込通路を許容状態とし、前記遊技球検知手段により所定数の遊技球が検知された場合に遊技の開始を許容し、
その一方、前記排出用阻止許容部材を遊技者によって手動操作可能とし、その手動操作により前記排出通路を許容状態とする遊技機において、
前記排出通路が前記許容状態にあるか否かを判定する判定手段と、
該判定手段により前記排出通路が前記許容状態にあると判定される場合、前記取込用阻止許容部材が阻止位置にあるように制御する取込禁止手段と、
を備え、
前記排出用阻止許容部材が阻止位置から許容位置に動作する際、許容位置に達する前に前記排出用阻止許容部材を検知する排出検知手段を設け、
前記判定手段は、前記排出検知手段の検知結果に基づいて前記排出通路が前記許容状態であるか否かを判定することを特徴とする遊技機。
【請求項２】
前記遊技球検知手段は、その検知部が前記取込通路におけるその幅方向の所定位置に設けられ、遊技球の通過に際し該遊技球に検知部が対向することで球検知信号を出力することを特徴とする請求項１に記載の遊技機。
【請求項３】
前記取込通路の通路幅を１個の遊技球が通過可能な程度とし、その通路幅方向外寄りに偏倚させて前記検知部を配置したことを特徴とする請求項２に記載の遊技機。
【請求項４】
複数の前記取込装置を並べて設け、上流より供給される遊技球を各取込装置の遊技球入口に案内する構成とし、さらに前記排出用阻止許容部材により各取込装置における排出通路の遊技球の通過をまとめて阻止又は許容する構成としたことを特徴とする請求項１乃至３のいずれか１に記載の遊技機。
【請求項５】
周方向に周回すると共に該周方向に複数種の絵柄が配列された複数の周回体と、
前記各周回体について各絵柄のうち一部の絵柄を視認可能とする表示窓と、
前記各周回体の回転を開始させるべく操作される始動操作手段と、
前記各周回体の回転を停止させるべく操作される停止操作手段とを備え、
前記取込装置により所定数の遊技球の取り込みが行われ、且つ前記始動操作手段が操作されることにより前記各周回体の回転を開始させ、前記停止操作手段の操作に起因して又は該停止操作手段が操作されないまま所定時間経過したことに起因して前記各周回体の回転を停止させ、その停止後の停止絵柄又は停止絵柄の組合せに応じて遊技者に特典を付与する構成としたことを特徴とする請求項１乃至４のいずれか１に記載の遊技機。
【手続補正書】
【提出日】平成20年7月31日(2008.7.31)
【手続補正１】
【補正対象書類名】特許請求の範囲
【補正対象項目名】全文
【補正方法】変更
【補正の内容】
【特許請求の範囲】
【請求項１】
発光ダイオードを有し、前記発光ダイオードに直列に接続したトランジスタを含んで構成される照明回路部をそれぞれ含んで構成される複数の光学アダプタが着脱自在となっている挿入部を有した内視鏡装置であって、
前記挿入部に内挿され、前記複数の光学アダプタのいずれか一つを前記挿入部に装着したとき、前記照明回路部と前記内視鏡装置を電気的に接続して電気回路を形成する２本の導電線と、
前記２本の導電線を介して駆動電流を供給し前記発光ダイオードを駆動する駆動部と、
前記電気回路における所定の回路要素の電圧を測定する電圧測定部と、
前記所定の回路要素の電圧と前記駆動信号とを対応づける複数のデータをテーブルデータとして記憶する記憶部を含んで構成され、前記所定の回路要素の電圧に対応した駆動電流により前記発光ダイオードを駆動するための駆動信号を前記駆動部に送信するシステム制御部と、
を具備することを特徴とした内視鏡装置。
【請求項２】
前記照明回路部は、前記発光ダイオードに並列又は直列に接続した抵抗を含んで構成されることを特徴とする請求項１記載の内視鏡装置。
【請求項３】
前記電気回路における所定の回路要素の電圧を測定するとき、前記発光ダイオードに対して逆方向電圧が印加されることを特徴とする請求項１記載の内視鏡装置。
【手続補正２】
【補正対象書類名】明細書
【補正対象項目名】０００８
【補正方法】変更
【補正の内容】
【０００８】
本発明の内視鏡装置は、発光ダイオードを有し、前記発光ダイオードに直列に接続したトランジスタを含んで構成される照明回路部をそれぞれ含んで構成される複数の光学アダプタが着脱自在となっている挿入部を有した内視鏡装置であって、前記挿入部に内挿され、前記複数の光学アダプタのいずれか一つを前記挿入部に装着したとき、前記照明回路部と前記内視鏡装置を電気的に接続して電気回路を形成する２本の導電線と、前記２本の導電線を介して駆動電流を供給し前記発光ダイオードを駆動する駆動部と、前記電気回路における所定の回路要素の電圧を測定する電圧測定部と、前記所定の回路要素の電圧と前記駆動信号とを対応づける複数のデータをテーブルデータとして記憶する記憶部を含んで構成され、前記所定の回路要素の電圧に対応した駆動電流により前記発光ダイオードを駆動するための駆動信号を前記駆動部に送信するシステム制御部と、を具備することを特徴とする。
【手続補正３】
【補正対象書類名】明細書
【補正対象項目名】０１０９
【補正方法】変更
【補正の内容】
【０１０９】
図１３と図１４は第３の実施の形態に係る図である。図１３は光学アダプタ装着時に形成される内視鏡装置の回路図である。図１４は光学アダプタの判別からLED駆動までの流れの例を示すフローチャートである。
本実施の形態の全体構成は、基本的に上述した第１または第２の実施の形態と同様のため、同一の構成要素については省略する。主に、本実施の形態と上述した実施の形態との相違点を以下に説明する。
【手続補正４】
【補正対象書類名】明細書
【補正対象項目名】０１１１
【補正方法】変更
【補正の内容】
【０１１１】
図１３に示すように、本実施の形態において、照明回路部９内のLED光源６は、直列に接続された複数のLEDによって構成されている。電圧測定部としての判別処理部１４は、検出抵抗２１と、電圧検出回路A２２と、電圧検出回路B２８と、により構成される。LED駆動部１０は、電流調整トランジスタ３０と、駆動用定電圧電源３１と、バッファアンプ４０と、電流調整回路４１と、n個の駆動切り替えトランジスタ３２１から３２nと、n個の電流制限抵抗３５１から３５nと、により構成される。電流調整回路４１は、抵抗４２と、積分コンデンサ４３と、電流オンオフスイッチ４７と、により構成される。
【手続補正５】
【補正対象書類名】明細書
【補正対象項目名】０１１７
【補正方法】変更
【補正の内容】
【０１１７】
以下に本実施の形態における、光学アダプタ２の判別とLED光源６の駆動についての詳細を説明する。
図１４は光学アダプタ２の判別とLED光源６の駆動の処理の流れの例を示すフローチャートである。以下の処理は、システム制御部１３が行うものとする。また、光学アダプタ２を挿入部３の先端に装着している状態において処理が開始されるものとする。
【手続補正６】
【補正対象書類名】明細書
【補正対象項目名】０１３８
【補正方法】変更
【補正の内容】
【０１３８】
図１５から図１７は第４の実施の形態に係る図である。図１５は光学アダプタ２装着時に形成される内視鏡装置の回路図である。図１６は光学アダプタ２の判別からLED光源６駆動までの流れの例を示すフローチャートである。図１７は本実施の形態の変形例を示す図である。
本実施の形態の全体構成は、基本的に上述した第１、第２、もしくは第３の実施の形態と同様のため、同一の構成要素については省略する。主に、本実施の形態と上述した実施の形態との相違点を以下に説明する。
【手続補正７】
【補正対象書類名】明細書
【補正対象項目名】０１３９
【補正方法】変更
【補正の内容】
【０１３９】
本実施の形態においては、上述した第１、第２、もしくは第３の実施の形態と異なり、図１５に示すように、切り替えスイッチ２７、検出抵抗２１、及びアダプタ接続状態認識抵抗２４を削除している。また、本実施の形態は、抵抗６６、抵抗６７、抵抗６８、及び電界効果トランジスタ（以下、FETと略す）６９を含んだ構成にしている。
【手続補正８】
【補正対象書類名】明細書
【補正対象項目名】０１４０
【補正方法】変更
【補正の内容】
【０１４０】
以下に、本実施の形態における光学アダプタ２を装着したときに形成される電気回路の構成を、図１５を用いて説明する。
【手続補正９】
【補正対象書類名】明細書
【補正対象項目名】０１４１
【補正方法】変更
【補正の内容】
【０１４１】
まず、図１５に示すようにLED光源６のカソード側に接続する信号ケーブル５７の１本の導電線は、抵抗６６の一端と、電圧検出回路B２８と、電流調整トランジスタ３０のコレクタと、に接続されている。抵抗６６の他端は、抵抗６７の一端と、FET６９のゲートと、に接続されている。抵抗６７の他端とFET６９のソースは、接地されている。FET６９のドレインは、電圧検出回路A２２に接続され、また、抵抗６８を介して電源電圧に接続されている。
【手続補正１０】
【補正対象書類名】明細書
【補正対象項目名】０１４７
【補正方法】変更
【補正の内容】
【０１４７】
以下に本実施の形態における、光学アダプタ２の判別とLED光源６の駆動についての詳細を説明する。
図１６は光学アダプタ２の判別とLED光源６の駆動の流れの例を示すフローチャートである。以下の処理は、システム制御部１３が行うものとする。また、光学アダプタ２を挿入部３の先端に接続している状態において処理が開始されるものとする。
【手続補正１１】
【補正対象書類名】明細書
【補正対象項目名】０１５９
【補正方法】変更
【補正の内容】
【０１５９】
なお、本実施の形態において、光学アダプタ２内の判別抵抗２９の代わりに、図１７に示すようなFETを用いた構成にしてもよい。
【手続補正書】
【提出日】平成20年7月23日(2008.7.23)
【手続補正１】
【補正対象書類名】特許請求の範囲
【補正対象項目名】全文
【補正方法】変更
【補正の内容】
【特許請求の範囲】
【請求項１】
遊技球を通過させる遊技球通路を二股に分岐させて設けられた第１通路及び第２通路と、前記第１通路の入口部分に設けられ、上流から流下する遊技球を受け止めることで第１通路の遊技球の通過を阻止する球受け手段と、前記第２通路の入口部分に設けられ、該第２通路を開閉するゲート部材とを有する遊技球取扱装置を遊技機内部に備え、
所定のトリガ信号に基づいて駆動制御手段が前記第１通路の遊技球の通過を可能とすべく前記球受け手段を動作させ、通過する遊技球を第１通路に設けられた遊技球検知手段により検知し、
その一方、前記ゲート部材とは別体で設けられたゲート操作部材が手動操作されることにより、その手動操作による動作がゲート部材に伝達されて前記第２通路が開状態とされる遊技機において、
前記第２通路が開状態にあるか否かを判定する通路状態判定手段と、
前記ゲート操作部材が手動操作されているか否かを判定する操作判定手段と、
前記第２通路が開状態にあると前記通路状態判定手段により判定され、且つ前記ゲート操作部材が手動操作されていないと前記操作判定手段により判定された場合、異常発生報知を行う異常発生報知手段とを備えたことを特徴とする遊技機。
【請求項２】
前記ゲート操作部材を非操作位置に保持するよう付勢する付勢手段を設け、さらにゲート操作部材を前記ゲート部材に対して非連結状態で設けたことを特徴とする請求項１に記載の遊技機。
【請求項３】
前記球受け手段は、前記第１通路を開閉する第１通路用ゲート部材であり、さらに前記第２通路用のゲート部材を第２通路の入口部分であって遊技球が前記第１通路を通過する場合に当該遊技球が一旦当る位置に配置すると共に、前記遊技球検知手段を前記第１通路の入口部分であって前記第１通路用ゲート部材よりも下流側に配置し、
前記第２通路が開状態にあると前記通路状態判定手段により判定され、且つ前記ゲート操作部材が手動操作されていないと前記操作判定手段により判定された場合、前記駆動制御手段は前記第１通路用ゲート部材が閉位置にあるように制御することを特徴とする請求項１又は２に記載の遊技機。
【請求項４】
遊技球が通過する遊技球通路と、該遊技球通路を開閉するゲート部材と、該ゲート部材を開位置に動作させるための駆動手段と、該駆動手段を駆動制御する駆動制御手段とを有する遊技球取扱装置を遊技機内部に備えた遊技機において、
前記遊技球通路が開状態にあるか否かを判定する通路状態判定手段と、
前記駆動制御手段により前記駆動手段が駆動制御されていない場合に、前記遊技球通路が開状態にあると前記通路状態判定手段により判定された場合、異常発生報知を行う異常発生報知手段とを備えたことを特徴とする遊技機。
【手続補正書】
【提出日】平成20年5月7日(2008.5.7)
【手続補正１】
【補正対象書類名】特許請求の範囲
【補正対象項目名】全文
【補正方法】変更
【補正の内容】
【特許請求の範囲】
【請求項１】
両面が塵埃拭取用の払拭面である拭布と、該拭布内部の取付孔内に先端のヘッドを差し込むことによって該拭布を装着するように構成されたモップ本体とからなり、
上記モップ本体は、握持用の把手と、該把手の先端に前後方向の軸線の回りで回転自在なるように連結された上記ヘッドとにより形成され、該ヘッドは、該ヘッドと上記把手とに形成された突子と係止孔との弾力的な係合によって１８０度向きが異なる２つの回転位置で把手に係止可能であることを特徴とするハンディモップ。
【請求項２】
上記ヘッドの基端の把手用連結部における上記軸線を挟んで相反する位置に、２つの係止弾片が設けられると共に、各係止弾片にそれぞれ上記突子が形成され、また、上記把手先端のヘッド用取付部における上記軸線を挟んで相反する位置に、２つの上記係止孔が形成されていることを特徴とする請求項１に記載のハンディモップ。
【請求項３】
上記把手における取付部の前端面が横長の平面に形成され、この前端面の左右両端部に上記係止孔が形成されており、
上記ヘッドの連結部は、横幅が上記把手前端面の横幅より短く形成されていて、該連結部の左右両側からは、該連結部よりも薄肉且つ細幅の平板状をした上記係止弾片が上記前端面に沿うように延出し、該前端面の端部の上記係止孔の位置まで延びていることを特徴とする請求項２に記載のハンディモップ。
【請求項４】
上記ヘッドが、二股状に分岐して前方に延出する左右２つの細長くかつ弾力性のある分岐アームを有し、これらの分岐アームは、上下面方向に波付けされることにより拭布の取付孔からの抜け出し抵抗が高められていることを特徴とすることを特徴とする請求項１から３の何れかに記載のハンディモップ。
【請求項５】
上記分岐アームが、板面が上下方向を向く細幅の板状をなしていて、各分岐アームの周縁に上下両面側に突出する縁枠が形成されていることを特徴とする請求項４に記載のハンディモップ。
【請求項６】
上記分岐アームが、先端側に向けて次第に幅狭をなすように形成されると共に、ヘッド全体が基端側から先端側に向けて次第に幅狭をなすように形成されていることを特徴とする請求項４又は５に記載のハンディモップ。
【請求項７】
上記分岐アームの上下両面に、拭布の取付孔からの抜け出し抵抗を高めるための突起が形成されていることを特徴とする請求項４から６の何れかに記載のハンディモップ。
【手続補正２】
【補正対象書類名】明細書
【補正対象項目名】０００６
【補正方法】変更
【補正の内容】
【０００６】
上記課題を解決するため、本発明によれば、両面が塵埃拭取用の払拭面である拭布と、該拭布内部の取付孔内に先端のヘッドを差し込むことによって該拭布を装着するように構成されたモップ本体からなるハンディモップが提供される。上記モップ本体は、握持用の把手と、該把手の先端に前後方向の軸線の回りで回転自在なるように連結された上記ヘッドとにより形成され、該ヘッドは、該ヘッドと上記把手とに形成された突子と係止孔との弾力的な係合によって１８０度向きが異なる２つの回転位置で把手に係止可能である。
【手続補正３】
【補正対象書類名】明細書
【補正対象項目名】０００７
【補正方法】変更
【補正の内容】
【０００７】
本発明において好ましくは、上記ヘッドの基端の把手用連結部における上記軸線を挟んで相反する位置に、２つの係止弾片が設けられると共に、各係止弾片にそれぞれ上記突子が形成され、また、上記把手先端のヘッド用取付部における上記軸線を挟んで相反する位置に、２つの上記係止孔が形成されていることである。
本発明においては、上記把手における取付部の前端面が横長の平面に形成され、この前端面の左右両端部に上記係止孔が形成されており、また、上記ヘッドの連結部は、横幅が上記把手前端面の横幅より短く形成されていて、該連結部の左右両側からは、該連結部よりも薄肉且つ細幅の平板状をした上記係止弾片が上記前端面に沿うように延出し、該前端面の端部の上記係止孔の位置まで延びていることが望ましい。